(57)【要約】【課題】被摺動部材が誤ってずれることが無く、ユーザの操作によって動かしやすい摺動機構、用紙ガイド、用紙積載装置、手差し給紙トレイ及び画像形成装置を提供する。【解決手段】用紙搬送方向と直交する方向に摺動可能であるサイドフェンス１ａと、サイドフェンス１ａの摺動をガイドするガイド部材とを備えた摺動機構であって、サイドフェンス１ａは、用紙位置規制面を含む壁面部と、用紙とは略平行な底面部とを有し、該底面部のガイド部材と当接する側の面に、摺動方向と平行なリブ４ｂを有し、ガイド部材は、リブ４ｂと対となり、サイドフェンス１ａの摺動方向と略平行で、対となるリブ４ｂと接触するリブ４ａを有し、対となったリブ４ａ及び４ｂとが接触して摺動する。【選択図】図１
2008143630.tif 000002
【特許請求の範囲】
【請求項１】
用紙位置規制面を備え、該用紙位置規制面と直交する方向に摺動可能である用紙位置規制部材と、
前記用紙位置規制部材の摺動をガイドするガイド部材とを備えた摺動機構であって、
前記用紙位置規制部材は、前記有効面を含む壁面部と、用紙とは略平行な底面部とを有し、該底面部の前記ガイド部材と当接する側の面に、摺動方向と平行な第１のリブを有し、
前記ガイド部材は、前記第１のリブと対となり、前記用紙位置規制部材の摺動方向と略平行で、対となる第１のリブと接触する第２のリブを有し、
対となった前記第１及び第２のリブとが接触して摺動することを特徴とする摺動機構。
【請求項２】
前記用紙位置規制部材は、前記第２のリブを支点として前記ガイド部材側に付勢されていることを特徴とする請求項１記載の摺動機構。
【請求項３】
前記用紙位置規制部材の前記ガイド部材側に付勢される部分には、付勢する部材との間に摺動抵抗付与部材が挟み込まれたことを特徴とする請求項２記載の摺動機構。
【請求項４】
前記用紙位置規制部材は、用紙搬送方向と直交する方向に前記用紙位置規制面が位置するように配置されたサイドフェンスであることを特徴とする請求項１から３のいずれか１項記載の摺動機構。
【請求項５】
請求項４記載の摺動機構を用いた用紙ガイドであって、前記用紙位置規制部材が前記ガイド部材に二つ設置され、該二つの用紙位置規制部材は、他方と連動して前記ガイド部材と摺動し、互いの間隔が可変であることを特徴とする用紙ガイド。
【請求項６】
前記用紙位置規制部材の各々は、ラックを備え、それぞれのラックが共通のピニオンと噛み合うことによって、他方の用紙位置規制部材と連動して前記ガイド部材と摺動することを特徴とする請求項５記載の用紙ガイド。
【請求項７】
前記第１及び第２のリブの対は、前記ラックと前記ピニオンとが噛み合う位置よりも前記用紙搬送方向の上流側に設けられていることを特徴とする請求項６記載の用紙ガイド。
【請求項８】
前記第１及び第２のリブの対を２対備え、前記ラックと前記ピニオンとが噛み合う位置よりも前記用紙搬送方向の上流側及び下流側に各一対ずつ設けられていることを特徴とする請求項６記載の用紙ガイド。
【請求項９】
前記用紙位置規制部材は、用紙搬送方向に前記用紙位置規制面が位置するように配置されたエンドフェンスであることを特徴とする請求項１から３のいずれか１項記載の摺動機構。
【請求項１０】
用紙を収容する筐体と、請求項４又は９記載の摺動機構とを備えた用紙積載装置。
【請求項１１】
用紙を収容する筐体と、請求項５から８のいずれか１項記載の用紙ガイドを備えた用紙積載装置。
【請求項１２】
請求項４又は９記載の摺動機構を備えた手差し給紙トレイ。
【請求項１３】
請求項５から８のいずれか１項記載の用紙ガイドを備えた手差し給紙トレイ。
【請求項１４】
請求項１０又は１１記載の用紙積載装置を備えた画像形成装置。
【請求項１５】
請求項１２又は１３記載の手差し給紙トレイを備えた画像形成装置。
【発明の詳細な説明】
【技術分野】
【０００１】
本発明は、基準面を備えた部材を基準面と直交する方向に摺動させるための摺動機構及びこれを用いた用紙ガイド、用紙積載装置、手差し給紙トレイ並びに画像形成装置に関する。
【背景技術】
【０００２】
従来、画像形成装置における給紙機構は、ユーザの用途に応じて様々なサイズの用紙セットに対応する必要がある。その時必要となるのが用紙サイズの紙幅に合わせるサイドフェンスである。このサイドフェンスは可動であることが条件だが、ユーザの手作業でセット用紙幅に合わせる方式がほとんどである。
【０００３】
可動式のサイドフェンスを備えた画像形成装置の給紙機構に関する従来技術として、特許文献１に開示される「シート材収容容器、サイドレジスト調整装置、および画像形成装置」がある。
【０００４】
サイドフェンスの移動に必要な操作力に関しては、移動方向の摺動抵抗が弱すぎれば用紙搬送時の暴れに負けてしまって印刷画像にズレが生じ、重すぎればユーザがサイドフェンスを動かすことができないという問題が発生する。
【０００５】
従って、サイドフェンスには適度な摺動抵抗を持たせる必要がある。
【特許文献１】特開２００６−２４８７４４号公報
【発明の開示】
【発明が解決しようとする課題】
【０００６】
しかし、特許文献１に開示される発明を含め、従来の画像形成装置の給紙機構においては、サイドフェンスの摺動抵抗を適度に設定することについて何の考慮もなされていない。
このため、用紙搬送時にサイドフェンスがずれてしまって印刷画像にズレが生じたり、ユーザがサイドフェンスを動かしにくい場合があるという問題があった。
【０００７】
本発明はかかる問題に鑑みてなされたものであり、被摺動部材が誤ってずれることが無く、ユーザの操作によって動かしやすい摺動機構、用紙ガイド、用紙積載装置、手差し給紙トレイ及び画像形成装置を提供することを目的とする。
【課題を解決するための手段】
【０００８】
上記目的を達成するため、本発明は、第１の態様として、用紙位置規制面を備え、該用紙位置規制面と直交する方向に摺動可能である用紙位置規制部材と、用紙位置規制部材の摺動をガイドするガイド部材とを備えた摺動機構であって、用紙位置規制部材は、有効面を含む壁面部と、用紙とは略平行な底面部とを有し、該底面部のガイド部材と当接する側の面に、摺動方向と平行な第１のリブを有し、ガイド部材は、第１のリブと対となり、用紙位置規制部材の摺動方向と略平行で、対となる第１のリブと接触する第２のリブを有し、対となった第１及び第２のリブとが接触して摺動することを特徴とする摺動機構を提供するものである。
【０００９】
本発明の第１の態様においては、用紙位置規制部材は、第２のリブを支点としてガイド部材側に付勢されていることが好ましい。これに加えて、用紙位置規制部材のガイド部材側に付勢される部分には、付勢する部材との間に摺動抵抗付与部材が挟み込まれることがより好ましい。
【００１０】
本発明の第１の態様の上記のいずれの構成においても、用紙位置規制部材は、用紙搬送方向と直交する方向に用紙位置規制面が位置するように配置されたサイドフェンスであることが好ましい。又は、用紙位置規制部材は、用紙搬送方向に用紙位置規制面が位置するように配置されたエンドフェンスであることが好ましい。
【００１１】
また、上記目的を達成するため、本発明は、第２の態様として、本発明の第１の態様において、用紙位置規制部材が用紙搬送方向と直交する方向に用紙位置規制面が位置するように配置されたサイドフェンスである摺動機構を用いた用紙ガイドであって、用紙位置規制部材がガイド部材に二つ設置され、該二つの用紙位置規制部材は、他方と連動してガイド部材と摺動し、互いの間隔が可変であることを特徴とする用紙ガイドを提供するものである。
【００１２】
本発明の第２の態様においては、用紙位置規制部材の各々は、ラックを備え、それぞれのラックが共通のピニオンと噛み合うことによって、他方の用紙位置規制部材と連動してガイド部材と摺動することが好ましい。これに加えて、第１及び第２のリブの対は、ラックとピニオンとが噛み合う位置よりも用紙搬送方向の上流側に設けられていること、又は、第１及び第２のリブの対を２対備え、ラックとピニオンとが噛み合う位置よりも用紙搬送方向の上流側及び下流側に各一対ずつ設けられていることが好ましい。
【００１３】
また、上記目的を達成するため、本発明は、第３の態様として、本発明の第１の態様において、用紙位置規制部材が用紙搬送方向と直交する方向に用紙位置規制面が位置するように配置されたサイドフェンス又は用紙搬送方向に用紙位置規制面が位置するように配置されたエンドフェンスであるである摺動機構と、用紙を収容する筐体とを備えた用紙積載装置を提供するものである。
【００１４】
また、上記目的を達成するため、本発明は、第４の態様として、本発明の第２の態様のいずれかの構成にかかる用紙ガイドと、用紙を収容する筐体とを備えた用紙積載装置を提供するものである。
【００１５】
また、上記目的を達成するため、本発明は、第５の態様として、本発明の第１の態様において、用紙位置規制部材が用紙搬送方向と直交する方向に用紙位置規制面が位置するように配置されたサイドフェンス又は用紙搬送方向に用紙位置規制面が位置するように配置されたエンドフェンスであるである摺動機構を備えた手差し給紙トレイを提供するものである。
【００１６】
また、上記目的を達成するため、本発明は、第６の態様として、本発明の第２の態様のいずれかの構成にかかる用紙ガイドを備えた手差し給紙トレイを提供するものである。
【００１７】
また、上記目的を達成するため、本発明は、第７の態様として、上記本発明の第３又は第４の態様のいずれかの構成に係る用紙積載装置を備えた画像形成装置を提供するものである。
【００１８】
また、上記目的を達成するため、本発明は、第８の態様として、上記本発明の第５又は第６の態様のいずれかの構成にかかる手差し給紙トレイを備えた画像形成装置を提供するものである。
【発明の効果】
【００１９】
本発明によれば、被摺動部材が誤ってずれることが無く、ユーザの操作によって動かしやすい摺動機構、用紙ガイド、用紙積載装置、手差し給紙トレイ及び画像形成装置を提供できる。
【発明を実施するための最良の形態】
【００２０】
図１に、本発明の好適な実施の形態にかかる給紙カセットの構成を示す。図中、斜線矢印は給紙方向を示す。サイドフェンス１ａは、レーザプリンタ正面に設置されている給紙トレイの手差し給紙機構におけるサイドフェンスである。サイドフェンス１ｂは、用紙を収納可能な給紙カセットの内部にある本体給紙のサイドフェンスである。
【００２１】
図２（ａ）に、給紙カセット及び手差しトレイの上面図を、図２（ｂ）に手差しトレイの裏面図を示す。ピニオン２ａは、一対のサイドフェンス１ａに設けられたラック部３ａと噛み合っている。また、ピニオン２ｂは、一対のサイドフェンス１ｂに設けられたラック部３ｂと噛み合っている。
【００２２】
図３に、手差し給紙部の断面の構造を示す。リブ４ａ及び４ｂは、互いに給紙方向で接触し摺動する。リブ４ａ及び４ｂにより、サイドフェンス１ａは暴れることなく、スムーズに移動させることが可能となっている。より詳しくは、リブ４ａ及び４ｂが存在しない場合には、操作部６を保持してサイドフェンス１ａを摺動させようとすると、支持部７を中心とするモーメントが発生することとなる。これに対し、リブ４ａ及びリブ４ｂを設けた場合には、操作部６を保持してサイドフェンス１ａを摺動させようとする際にはリブ４ａ及び４ｂの当接部分を中心としてモーメントが発生する。このため、リブ４ａ及び４ｂを設けた方が、サイドフェンス１ａが用紙搬送方向と平行に保たれやすくなり、用紙搬送方向と直交する方向にスムーズに移動させることができる。なお、リブ４ｂの方がリブ４ａよりも操作部６に近くなるように形成することが好ましい。
【００２３】
また、付勢部分５は、サイドフェンス１ａの一部と給紙トレイの一部とが上下方向で食い込み寸法となり、サイドフェンス自体が撓んで摺動抵抗を持つ。すなわち、サイドフェンス１ａは、底面部分の後端が給紙トレイの凸部の下に潜り込まされることによって、リブ４ａを支点として湾曲させられている。このため、付勢部分５では、サイドフェンスの底面の後端部分が弾性によって元の形状に復元しようとし、サイドフェンスの底面後端と給紙トレイの凸部とが押し付け合う。この食い込み寸法（サイドフェンス１ａの撓み量）を適正に設定することにより、用紙暴れによって動かされず、かつユーザの操作による移動を可能とする摺動抵抗を付与できる。なお、ここではサイドフェンスの底面部分の後端のみを付勢する構造を示したが、リブ４ａよりも前側についても上下方向に食い込み寸法を持たせるようにしてもよい。
【００２４】
図４に、手差し操作部の構成を示す。リブ４ｂ及び４ｃは、サイドフェンス１ａ、１ｂをガイドするリブである。リブ４ｃは、給紙方向でピニオンの位置よりも上流側に設置されている。この場合、上流側にあるリブ４ｂによって摺動抵抗を持たせた方が、ユーザ操作部６に近いため、サイドフェンス操作時にモーメントのかかり具合によって動かしやすい。
ただし、レイアウトによっては、給紙方向でピニオンと同位置にあった方が操作しやすいこともあり得る。
【００２５】
サイドフェンス１ａに摺動抵抗を付与するために付勢部分５に摺動抵抗付与部材を配置してもよい。摺動抵抗付与部材としては、フェルトや繊維質のものが好ましい。さらに、斜毛によって方向性を持たせて設置すれば、サイドフェンスの間隔を縮める方向には弱く、広げる方向には強い摺動抵抗を付与できる。これにより、用紙暴れによる画像ズレを防止するとともに、ユーザの操作性を向上させられる。なお、摺動抵抗付与部材は、サイドフェンス側に固定されていても良いし、給紙トレイ側に固定されていても良い。
【００２６】
本実施形態にかかる給紙カセットは、電子写真方式やインクジェット方式などの公知のあらゆる画像形成装置に適用可能である。
【００２７】
なお、上記実施形態は本発明の好適な実施の一例であり、本発明はこれに限定されることはない。
例えば、上記実施形態においては、給紙カセットと手差し給紙トレイとが連結された構成を例としたが、これらは一体に構成されている必要はない。
また、一対のサイドフェンスがともに摺動する構成を例としたが、一方のサイドフェンスのみが移動する構成であっても良い。さらに、一方のサイドフェンスのみが移動する構成と同様に、エンドフェンスに対して適用することも可能である。
また、サイドフェンスやエンドフェンスに限らず、摺動自在に構成する部材に対して本発明を適用することも可能である。
このように、本発明は様々な変形が可能である。
【図面の簡単な説明】
【００２８】
【図１】本発明の好適な実施の形態にかかる給紙カセット及び手差し給紙部の構成を示す図である。
【図２】本発明の好適な実施の形態にかかる給紙カセット及び手差し給紙部の構成を示す図である。
【図３】手差し給紙部が備えるサイドフェンスの構成を示す図である。
【図４】手差し給紙部の構成を示す図である。
【符号の説明】
【００２９】
１ａ、１ｂ    サイドフェンス
２ａ、２ｂ    ピニオン
３ａ、３ｂ    ラック
４ａ、４ｂ    リブ
５    付勢部分
６    ユーザ操作部
【図１】
2008143630.tif 000003
【図２】
2008143630.tif 000004
【図３】
2008143630.tif 000005
【図４】
2008143630.tif 000006